(57)【要約】【課題】より簡単に所望する機能を実行させることができるようにする。【解決手段】オンスクリーン表示制御部２６は、リモートコントローラの既存のボタンに対応するショートカットボタンであって、ユーザにより所定の機能が割り当てられたショートカットボタンからなるショートカットメニューを表示部２７に表示させる。受信部２２は、リモートコントローラに設けられたショートカットボタンに対応するボタンが操作されたときに送信されてくる制御信号を受信する。処理実行部２５は、制御信号により選択されたショートカットボタンに割り当てられている機能を実行する。本発明は、テレビジョン受像機に適用することができる。【選択図】図１
2007300543.tif 000002
【特許請求の範囲】
【請求項１】
ユーザにより指定された所定の機能が割り当てられたボタン、文字、または画像からなるショートカットメニューの表示を制御する表示制御手段と、
前記ショートカットメニューに表示されているボタン、文字、または画像が選択されて機能が実行されるようにリモートコントローラが操作された場合、前記リモートコントローラから送信されてくる、ボタン、文字、または画像の選択を指示する制御信号を受信する受信手段と、
受信された前記制御信号により選択が指示されたボタン、文字、または画像に割り当てられた機能を実行する実行手段と
を備える情報処理装置。
【請求項２】
前記ショートカットメニューに表示されているボタン、文字、または画像には、複数の機能が割り当てられている
請求項１に記載の情報処理装置。
【請求項３】
前記表示制御手段は、前記ショートカットメニューにおいて、現在の前記情報処理装置の状態において実行することができない機能が割り当てられているボタン、文字、または画像が、機能が割り当てられている他のボタン、文字、または画像とは異なる表示形式で表示されるように、前記ショートカットメニューの表示を制御する
請求項１に記載の情報処理装置。
【請求項４】
前記ショートカットメニューに表示されているボタン、文字、または画像に割り当てられた機能を示す情報を記録する記録手段をさらに備える
請求項１に記載の情報処理装置。
【請求項５】
前記表示制御手段は、前記ショートカットメニューに表示されているボタン、文字、または画像に割り当てることができる機能の一覧の表示をさらに制御し、
前記機能の一覧から選択された機能を、前記ショートカットメニューに表示される指定されたボタン、文字、または画像に割り当てる割り当て手段をさらに備える
請求項１に記載の情報処理装置。
【請求項６】
前記表示制御手段は、前記リモートコントローラに設けられたボタンであって、前記ショートカットメニューが表示されていない場合、所定の処理を実行させるときに操作されるボタンのそれぞれに対応するボタン、文字、または画像からなる前記ショートカットメニューの表示を制御し、
前記受信手段は、前記ショートカットメニューが表示されている状態で、前記ショートカットメニューに表示されているボタン、文字、または画像に対応する前記リモートコントローラに設けられたボタンが操作された場合、前記リモートコントローラから送信されてくる、操作された前記リモートコントローラに設けられたボタンに対応するボタン、文字、または画像の選択を指示する前記制御信号を受信する
請求項１に記載の情報処理装置。
【請求項７】
ユーザにより指定された所定の機能が割り当てられたボタン、文字、または画像からなるショートカットメニューの表示を制御し、
前記ショートカットメニューに表示されているボタン、文字、または画像が選択されて機能が実行されるようにリモートコントローラが操作された場合、前記リモートコントローラから送信されてくる、ボタン、文字、または画像の選択を指示する制御信号の受信を制御し、
受信された前記制御信号により選択が指示されたボタン、文字、または画像に割り当てられた機能を実行する
ステップを含む情報処理方法。
【請求項８】
ユーザにより指定された所定の機能が割り当てられたボタン、文字、または画像からなるショートカットメニューの表示を制御し、
前記ショートカットメニューに表示されているボタン、文字、または画像が選択されて機能が実行されるようにリモートコントローラが操作された場合、前記リモートコントローラから送信されてくる、ボタン、文字、または画像の選択を指示する制御信号の受信を制御し、
受信された前記制御信号により選択が指示されたボタン、文字、または画像に割り当てられた機能を実行する
ステップをコンピュータに実行させるプログラム。
【発明の詳細な説明】
【技術分野】
【０００１】
本発明は情報処理装置および方法、並びにプログラムに関し、特に、より簡単に所望する機能を実行させることができるようにした情報処理装置および方法、並びにプログラムに関する。
【背景技術】
【０００２】
近年、テレビジョン放送は、地上波アナログ放送から地上波デジタル放送に切り替えられつつある。地上波デジタル放送においては、より多くの機能を利用することができるようになり、テレビジョン受像機を遠隔操作するためのリモートコントローラに設けられるボタンの数、およびリモートコントローラにより実行させることのできる機能の数も増加傾向にある。
【０００３】
リモートコントローラに設けられるボタンには、電源の入り切り、音量の調節などを行うときに操作されるボタンのように、どのユーザにも頻繁に操作されるボタンがある一方で、ワイド切り替え、画質の調節、多画面表示などを行うときに操作されるボタンのように、ユーザによってその使用頻度が異なるボタンもある。
【０００４】
リモートコントローラに設けられるボタンの数が増えると、ユーザはリモートコントローラに設けられた多くのボタンから、所望する機能を実行させるためのボタンを探し出さなければならず、操作に時間がかかってしまう恐れがあった。逆に、リモートコントローラに設けられるボタンの数が減ると、リモートコントローラにより実行させることのできる機能の数も減るので、ユーザによっては、自分が頻繁に利用する機能をリモートコントローラによる操作で実行させることができなくなってしまう。
【０００５】
このように、リモートコントローラの操作により実行できる機能の数を増加させるとともに、リモートコントローラをより簡単に操作できるようにすることは困難であった。
【０００６】
そこで、ユーザが表示装置に表示された機能の一覧から所定のボタンに割り当てる機能を選択して登録することによって、表示装置を遠隔操作するためのリモートコントローラに設けられたボタンに所望する機能を割り当てることができるものもある（例えば、特許文献１参照）。この表示装置においては、リモートコントローラに設けられた所定のボタンが操作されると、そのボタンに割り当てられた機能が実行される。また、この表示装置のリモートコントローラの１つのボタンには、複数の機能を組み合わせて割り当てることができるようになされている。
【０００７】
また、表示装置だけでなく、他の装置も遠隔操作することができるリモートコントローラもある。そのようなリモートコントローラは、一般に学習リモートコントローラと称され、リモートコントローラに設けられた各ボタンに、表示装置または他の装置において実行される機能のうちの１つを割り当てることができるようになされている。
【０００８】
【特許文献１】特開２０００−１９７１６２号公報
【発明の開示】
【発明が解決しようとする課題】
【０００９】
しかしながら、上述した技術においては、リモートコントローラに設けられた所定のボタンに、ユーザの所望する機能を割り当てることはできるが、ユーザは、どのボタンにどの機能を割り当てたかを記憶しておく必要があり、各ボタンに割り当てられた機能を確認しながら操作することは困難であった。
【００１０】
また、学習リモートコントローラにおいては、ユーザはボタンに所望する機能を割り当てるために煩雑な操作を行わなければならなかった。さらに、学習リモートコントローラにおいては、学習リモートコントローラに装着されている電池が外されると、各ボタンに割り当てた機能を示す情報が消去され、その設定がリセットされてしまうため、ユーザは学習リモートコントローラに装着する電池を交換するたびに、各ボタンに所望の機能を割り当てるための操作を行わなければならなかった。
【００１１】
本発明は、このような状況に鑑みてなされたものであり、より簡単に所望する機能を実行させることができるようにするものである。
【課題を解決するための手段】
【００１２】
本発明の一側面の情報処理装置は、ユーザにより指定された所定の機能が割り当てられたボタン、文字、または画像からなるショートカットメニューの表示を制御する表示制御手段と、前記ショートカットメニューに表示されているボタン、文字、または画像が選択されて機能が実行されるようにリモートコントローラが操作された場合、前記リモートコントローラから送信されてくる、ボタン、文字、または画像の選択を指示する制御信号を受信する受信手段と、受信された前記制御信号により選択が指示されたボタン、文字、または画像に割り当てられた機能を実行する実行手段とを備える。
【００１３】
前記ショートカットメニューに表示されているボタン、文字、または画像には、複数の機能が割り当てられるようにすることができる。
【００１４】
前記表示制御手段には、前記ショートカットメニューにおいて、現在の前記情報処理装置の状態において実行することができない機能が割り当てられているボタン、文字、または画像が、機能が割り当てられている他のボタン、文字、または画像とは異なる表示形式で表示されるように、前記ショートカットメニューの表示を制御させることができる。
【００１５】
情報処理装置には、前記ショートカットメニューに表示されているボタン、文字、または画像に割り当てられた機能を示す情報を記録する記録手段をさらに設けることができる。
【００１６】
前記表示制御手段には、前記ショートカットメニューに表示されているボタン、文字、または画像に割り当てることができる機能の一覧の表示をさらに制御させ、前記機能の一覧から選択された機能を、前記ショートカットメニューに表示される指定されたボタン、文字、または画像に割り当てる割り当て手段をさらに設けることができる。
【００１７】
前記表示制御手段には、前記リモートコントローラに設けられたボタンであって、前記ショートカットメニューが表示されていない場合、所定の処理を実行させるときに操作されるボタンのそれぞれに対応するボタン、文字、または画像からなる前記ショートカットメニューの表示を制御させ、前記受信手段には、前記ショートカットメニューが表示されている状態で、前記ショートカットメニューに表示されているボタン、文字、または画像に対応する前記リモートコントローラに設けられたボタンが操作された場合、前記リモートコントローラから送信されてくる、操作された前記リモートコントローラに設けられたボタンに対応するボタン、文字、または画像の選択を指示する前記制御信号を受信させることができる。
【００１８】
本発明の一側面の情報処理方法またはプログラムは、ユーザにより指定された所定の機能が割り当てられたボタン、文字、または画像からなるショートカットメニューの表示を制御し、前記ショートカットメニューに表示されているボタン、文字、または画像が選択されて機能が実行されるようにリモートコントローラが操作された場合、前記リモートコントローラから送信されてくる、ボタン、文字、または画像の選択を指示する制御信号の受信を制御し、受信された前記制御信号により選択が指示されたボタン、文字、または画像に割り当てられた機能を実行するステップを含む。
【００１９】
本発明の一側面においては、ユーザにより指定された所定の機能が割り当てられたボタン、文字、または画像からなるショートカットメニューの表示が制御され、前記ショートカットメニューに表示されているボタン、文字、または画像が選択されて機能が実行されるようにリモートコントローラが操作された場合、前記リモートコントローラから送信されてくる、ボタン、文字、または画像の選択を指示する制御信号が受信され、受信された前記制御信号により選択が指示されたボタン、文字、または画像に割り当てられた機能が実行される。
【発明の効果】
【００２０】
本発明の一側面によれば、機能を実行させることができる。特に、本発明の一側面によれば、より簡単に所望する機能を実行させることができる。
【発明を実施するための最良の形態】
【００２１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
本発明の一側面の情報処理装置は、ユーザにより指定された所定の機能が割り当てられたボタン、文字、または画像からなるショートカットメニューの表示を制御する表示制御手段（例えば、図１のオンスクリーン表示制御部２６）と、前記ショートカットメニューに表示されているボタン、文字、または画像が選択されて機能が実行されるようにリモートコントローラが操作された場合、前記リモートコントローラから送信されてくる、ボタン、文字、または画像の選択を指示する制御信号を受信する受信手段（例えば、図１の受信部２２）と、受信された前記制御信号により選択が指示されたボタン、文字、または画像に割り当てられた機能を実行する実行手段（例えば、図１の処理実行部２５）とを備える。
【００２３】
前記表示制御手段には、前記ショートカットメニューにおいて、現在の前記情報処理装置の状態において実行することができない機能が割り当てられているボタン、文字、または画像が、機能が割り当てられている他のボタン、文字、または画像とは異なる表示形式で表示されるように、前記ショートカットメニューの表示を制御させる（例えば、図７のステップＳ４７の処理およびステップＳ４８の処理）ことができる。
【００２４】
情報処理装置には、前記ショートカットメニューに表示されているボタン、文字、または画像に割り当てられた機能を示す情報を記録する記録手段（例えば、図１の記録部２４）をさらに設けることができる。
【００２５】
前記表示制御手段には、前記ショートカットメニューに表示されているボタン、文字、または画像に割り当てることができる機能の一覧の表示をさらに制御させ（例えば、図５のステップＳ１３の処理）、前記機能の一覧から選択された機能を、前記ショートカットメニューに表示される指定されたボタン、文字、または画像に割り当てる割り当て手段（例えば、図１の制御部２３）をさらに設けることができる。
【００２６】
前記表示制御手段には、前記リモートコントローラに設けられたボタンであって、前記ショートカットメニューが表示されていない場合、所定の処理を実行させるときに操作されるボタンのそれぞれに対応するボタン、文字、または画像からなる前記ショートカットメニューの表示を制御し（例えば、図７のステップＳ４８の処理）、前記受信手段には、前記ショートカットメニューが表示されている状態で、前記ショートカットメニューに表示されているボタン、文字、または画像に対応する前記リモートコントローラに設けられたボタンが操作された場合、前記リモートコントローラから送信されてくる、操作された前記リモートコントローラに設けられたボタンに対応するボタン、文字、または画像の選択を指示する前記制御信号を受信させる（例えば、図１０のステップＳ７１の処理）ことができる。
【００２７】
本発明の一側面の情報処理方法またはプログラムは、ユーザにより指定された所定の機能が割り当てられたボタン、文字、または画像からなるショートカットメニューの表示を制御し（例えば、図７のステップＳ４８）、前記ショートカットメニューに表示されているボタン、文字、または画像が選択されて機能が実行されるようにリモートコントローラが操作された場合、前記リモートコントローラから送信されてくる、ボタン、文字、または画像の選択を指示する制御信号の受信を制御し（例えば、図１０のステップＳ７１）、受信された前記制御信号により選択が指示されたボタン、文字、または画像に割り当てられた機能を実行する（例えば、図１０のステップＳ７３）ステップを含む。
【００２８】
以下、図面を参照して本発明を適用した実施の形態について説明する。
【００２９】
図１は、本発明を適用した表示装置の構成例を示すブロック図である。
【００３０】
表示装置１１は、例えばテレビジョン受像機などからなり、入力部２１、受信部２２、制御部２３、記録部２４、処理実行部２５、オンスクリーン表示制御部２６、および表示部２７から構成される。また、制御部２３と、記録部２４、処理実行部２５、およびオンスクリーン表示制御部２６のそれぞれとは、IIC（Inter Integrated Circuit）バス２８−１乃至IICバス２８−３のそれぞれにより接続されている。
【００３１】
入力部２１は、例えば、ボタン、スイッチなどから構成され、ユーザの操作に応じた制御信号を制御部２３に供給する。
【００３２】
受信部２２は、表示装置１１を遠隔操作するためのリモートコントローラから送信されてきた制御信号を受信して制御部２３に供給する。より詳細には、受信部２２は、リモートコントローラから送信されてきた光信号である制御信号を受光して電気信号に変換し、電気信号に変換された制御信号を制御部２３に供給する。
【００３３】
制御部２３は、例えばマイクロプロセッサなどから構成され、表示装置１１の全体を制御する。記録部２４は、例えば不揮発性メモリなどから構成され、各種のデータ、プログラムなどを記録する。処理実行部２５は、表示部２７に表示される画像の画質の調整、再生される音声の音量の調整などの各種の処理を実行する。
【００３４】
オンスクリーン表示制御部２６は、表示部２７への画像の表示を制御する。例えば、オンスクリーン表示制御部２６は、ユーザが各種の設定などを行うためのメニュー画面、所定の機能が割り当てられたショートカットボタンからなるショートカットメニューなどを表示部２７にオンスクリーン表示させる。
【００３５】
ここで、ショートカットボタンとは、何段階かの操作を行うことにより実行される機能を１度の操作だけで行うためのいわゆるショートカットをいい、このショートカットボタンが選択されると、選択されたショートカットボタンに割り当てられている機能が実行される。
【００３６】
また、オンスクリーン表示制御部２６は、例えば図示せぬチューナなどで受信された番組や、表示装置１１に接続された他の装置から入力された画像を表示部２７に表示させる。
【００３７】
表示部２７は、例えば液晶ディスプレイ、CRT（Cathode Ray Tube）ディスプレイなどから構成され、オンスクリーン表示制御部２６の制御に基づいて、番組やメニュー画面などの画像を表示する。
【００３８】
図２は、図１に示した表示装置１１を遠隔操作するときに操作されるリモートコントローラの構成例を示す図である。
【００３９】
リモートコントローラ４１には、表示装置１１の電源の入り切りを行うときに操作される電源ボタン５１、端子やチューナなどからの画像の入力を切り替えるときに操作される入力切替ボタン５２、および表示装置１１からの音声の出力を抑制するときに操作される消音ボタン５３が設けられている。
【００４０】
また、リモートコントローラ４１には、チャンネルを選局したりメニューの項目を選択したりするときに操作される数字ボタン５４−１乃至数字ボタン５４−１２が設けられている。これらの数字ボタン５４−１乃至数字ボタン５４−１２のそれぞれには、数字“１”乃至“１２”がそれぞれ印字されている。なお、以下、数字ボタン５４−１乃至数字ボタン５４−１２のそれぞれを個々に区別する必要のない場合、単に数字ボタン５４と称する。
【００４１】
数字ボタン５４の図中、下側には地上波アナログ放送される番組を受信するときに操作されるボタン５５、地上波デジタル放送される番組を受信するときに操作されるボタン５６、およびメニュー画面を表示させるときに操作されるメニューボタン５７が設けられている。
【００４２】
さらに、メニューボタン５７の下側には、表示装置１１に表示されたカーソルを移動させるときなどに操作される十字ボタン５８−１乃至十字ボタン５８−４が設けられ、十字ボタン５８−１乃至十字ボタン５８−４のそれぞれに囲まれる位置には、ボタンの選択を決定するときに操作される決定ボタン５９が設けられている。十字ボタン５８−２の下には、音量を調節するときに操作される音量ボタン６０およびチャンネルを選局するときに操作されるチャンネルボタン６１が設けられている。
【００４３】
なお、以下、十字ボタン５８−１乃至十字ボタン５８−４のそれぞれを個々に区別する必要のない場合、単に十字ボタン５８と称する。
【００４４】
ところで、ユーザがリモートコントローラ４１の決定ボタン５９を操作すると、表示装置１１には例えば、図３に示すショートカットメニューが表示される。
【００４５】
図３では、ショートカットメニューには、ショートカットメニューの表示を消去させるときに操作されるボタン９１、割り当てられた機能を実行させるときに操作されるショートカットボタン９２−１乃至ショートカットボタン９２−９（ショートカットボタン９２−４乃至ショートカットボタン９２−８は図示せず）が表示されている。
【００４６】
ボタン９１には、文字“キャンセル”が表示されている。また、ショートカットボタン９２−１乃至ショートカットボタン９２−９のそれぞれには、各ショートカットボタンを選択するときに操作されるリモートコントローラ４１の数字ボタン５４に印字された数字、およびショートカットされて実行される機能を示す文字が表示されている。すなわち、ショートカットボタン９２−１乃至ショートカットボタン９２−３、およびショートカットボタン９２−９のそれぞれには、文字“１：ワイド切替”、“２：省電力モード”、“３：ビデオ４”、および“９：消音”が表示されている。
【００４７】
例えば、ショートカットボタン９２−１に表示されている文字“１：ワイド切替”における数字“１”は、ショートカットボタン９２−１を選択するときに操作される数字ボタン５４−１に印字された数字“１”を示しており、文字“ワイド切替”は、表示する画像のアスペクト比を変化させる機能を示している。
【００４８】
したがって、例えば図３に示すショートカットメニューが表示されている状態で、ユーザがリモートコントローラ４１の数字ボタン５４−１を操作すると、表示装置１１はショートカットボタン９２−１に割り当てられた機能を実行し、表示している画像のアスペクト比を変化させる。なお、以下、ショートカットボタン９２−１乃至ショートカットボタン９２−９のそれぞれを個々に区別する必要のない場合、単にショートカットボタン９２と称する。
【００４９】
また、ショートカットメニューには、選択されたボタン９１またはショートカットボタン９２を指示するカーソル９３が表示されている。ユーザは、リモートコントローラ４１の十字ボタン５８を操作することによりカーソル９３を移動させて、ボタン９１またはショートカットボタン９２を選択することもできる。例えば、ユーザがカーソル９３を移動させてボタン９１を選択し、決定ボタン５９を操作することによりその選択の決定を指示すると、ボタン９１が選択されてショートカットメニューの表示が消去される。
【００５０】
このように、リモートコントローラ４１の既存のボタンの操作により選択できるショートカットボタン９２からなるショートカットメニューを表示させることで、リモートコントローラ４１に新たにボタンを設けることなく、所望する機能を実行させることができる。換言すれば、リモートコントローラ４１に設けられたボタンの数によらず、リモートコントローラ４１の操作により任意の数の機能を実行させることができる。
【００５１】
さらに、ユーザがリモートコントローラ４１のメニューボタン５７を操作して表示装置１１にメニュー画面を表示させ、十字ボタン５８や決定ボタン５９などを操作して、ショートカットボタン９２に所定の機能を割り当てるためのショートカット登録画面の表示を指示すると、表示部２７には、例えば図４に示すショートカット登録画面が表示される。
【００５２】
ショートカット登録画面の図中、左側には、ショートカットボタン９２に所定の機能を割り当てる処理をキャンセルし、ショートカット登録画面の表示を消去するときに操作されるボタン１２１、機能を割り当てようとするショートカットボタン９２を選択するときに操作されるボタン１２２−１乃至ボタン１２２−９（ボタン１２２−４乃至ボタン１２２−８は図示せず）が表示されている。
【００５３】
ここで、ボタン１２２−１乃至ボタン１２２−９のそれぞれは、機能を割り当てるショートカットボタン９２として、ショートカットボタン９２−１乃至ショートカットボタン９２−９のそれぞれを選択するときに操作される。なお、以下、ボタン１２２−１乃至ボタン１２２−９のそれぞれを個々に区別する必要のない場合、単にボタン１２２と称する。
【００５４】
また、ショートカット登録画面の左側には、ボタン１２１またはボタン１２２−１乃至ボタン１２２−９のいずれかを選択するためのカーソル１２３が表示されている。図４では、カーソル１２３によりボタン１２２−１が選択されている。
【００５５】
ショートカット登録画面の図中、右側には、カーソル１２３により選択されているボタン１２２により示されるショートカットボタン９２に割り当てられた機能を表示する領域１２４−１乃至領域１２４−３が設けられており、１つのショートカットボタン９２に最大で３つの機能を組み合わせて割り当てることができるようになされている。
【００５６】
領域１２４−１乃至領域１２４−３のそれぞれには、文字“ビデオ１”、“なし”、および“なし”が表示されている。ここで、領域１２４−１における文字“ビデオ１”は、ショートカットボタン９２に、１番目に割り当てられる機能として、入力として“ビデオ１”を選択する機能が割り当てられていることを示しており、領域１２４−２および領域１２４−３における文字“なし”は、２番目または３番目に割り当てられる機能として、ショートカットボタン９２には機能が割り当てられていないことを示している。
【００５７】
したがって、カーソル１２３により選択されているボタン１２２−１により示されるショートカットボタン９２−１には、入力として“ビデオ１”を選択する機能だけが割り当てられている。なお、以下、領域１２４−１乃至領域１２４−３のそれぞれを個々に区別する必要のない場合、単に領域１２４と称する。
【００５８】
領域１２４の図中、下側には、ショートカットボタン９２に割り当てる機能を追加するときに操作されるボタン１２５、ショートカットボタン９２に割り当てられた機能を削除するときに操作されるボタン１２６、およびショートカットボタン９２に割り当てる機能を選択し直すときに操作されるボタン１２７が表示されている。ボタン１２５乃至ボタン１２７のそれぞれには、文字“機能追加”、“機能削除”、および“リセット”のそれぞれが表示されている。
【００５９】
また、ボタン１２５乃至ボタン１２７のそれぞれの下には、ショートカットボタン９２に割り当てることができる機能の一覧である機能一覧１２８が表示されている。機能一覧１２８における１つの長方形は１つの機能を示しており、それぞれの長方形には機能を示す文字が表示されている。図４の例では、機能一覧１２８に表示されている機能を示す長方形のそれぞれには、文字“ビデオ１”、“ビデオ２”、“ビデオ３”、“ビデオ４”、“ビデオ５”、“消音”、“ワイド切替”、“画面メモ”、“２画面”、“番組表”、“アナログ”、“デジタル”、“スリープ”、“画面表示”、および“音質切替”のそれぞれが表示されている。
【００６０】
例えば、図４の例において、ショートカットボタン９２−１に割り当てる機能として消音機能を追加させる場合、まずユーザは、リモートコントローラ４１を操作してカーソル１２３を移動させ、ボタン１２２−１を選択させる。そして、ユーザは、リモートコントローラ４１を操作して領域１２４−２およびボタン１２５を選択し、さらに、機能一覧１２８から文字“消音”が表示されている長方形を選択する。これにより領域１２４−２には文字“消音”が表示されて消音機能が追加される。
【００６１】
また、例えば、領域１２４に表示されている文字“ビデオ１”により示される、入力として“ビデオ１”を選択する機能を、ショートカットボタン９２−１に割り当てられる機能から削除する場合、ユーザは、リモートコントローラ４１を操作して領域１２４−１を選択し、さらにボタン１２６を選択すると、領域１２４−１には文字“なし”が表示されて、ショートカットボタン９２−１にはどの機能も割り当てられていない状態となる。
【００６２】
さらに、例えばショートカットボタン９２−１に割り当てる機能を選択し直したい場合、ユーザはリモートコントローラ４１を操作してボタン１２７を選択すると、領域１２４−１乃至領域１２４−３のそれぞれには文字“なし”が表示され、ショートカットボタン９２−１にはどの機能も割り当てられていない状態となる。
【００６３】
ユーザがリモートコントローラ４１を操作して、図４に示したショートカット登録画面の表示を指示すると、リモートコントローラ４１から表示装置１１にはショートカット登録画面の表示を指示する制御信号が送信される。リモートコントローラ４１から表示装置１１にショートカット登録画面の表示を指示する制御信号が送信されると、表示装置１１は、ショートカット登録画面を表示してショートカットボタン９２に機能を割り当てる処理である登録処理を開始する。
【００６４】
以下、図５のフローチャートを参照して、表示装置１１による登録処理について説明する。
【００６５】
ステップＳ１１において、受信部２２は、リモートコントローラ４１から送信されてきた制御信号を受信して制御部２３に供給する。
【００６６】
ステップＳ１２において、制御部２３は、ショートカットボタン９２に割り当てることができる機能のうち、各ショートカットボタン９２に既に割り当てられている機能と組み合わせて割り当てることのできない機能を選択不可に設定する。
【００６７】
記録部２４には、ショートカットボタン９２−１乃至ショートカットボタン９２−９のそれぞれに割り当てられている機能を示す情報である機能情報が記録されており、制御部２３は表示装置１１の電源がオンされると、記録部２４から機能情報を取得して、制御部２３を構成するRAM（Random Access Memory）などに一時的に記憶する。
【００６８】
例えば、ショートカットボタン９２−１に、入力として“ビデオ１”を選択する機能が割り当てられている場合、制御部２３は、機能一覧１２８に表示される機能のうち、入力として“ビデオ１”乃至“ビデオ５”のいずれかを選択する機能、文字“アナログ”が表示されている、入力として地上波アナログ放送される番組を選択する機能、および文字“デジタル”が表示されている、入力として地上波デジタル放送される番組を選択する機能を、ショートカットボタン９２−１に割り当てる機能として選択できないように、選択不可に設定する。
【００６９】
このように、制御部２３は、記憶している機能情報を参照して、各ショートカットボタン９２について、すでに割り当てられている機能と組み合わせて選択できない機能を、選択不可に設定する。そして、制御部２３はショートカット登録画面に必要な画像データや情報などをオンスクリーン表示制御部２６に供給する。
【００７０】
ステップＳ１３において、オンスクリーン表示制御部２６は、制御部２３から供給された画像データおよび情報に基づいて表示部２７を制御し、表示部２７にショートカット登録画面を描画させて表示させる。
【００７１】
これにより、表示部２７には、例えば図６に示すショートカット登録画面が表示される。なお、図６において、図４における場合と対応する部分には同一の符号を付してあり、その説明は省略する。
【００７２】
図６に示すショートカット登録画面では、カーソル１２３によりボタン１２２−１が選択されており、機能一覧１２８に表示されている機能のうち、ボタン１２２−１により示されるショートカットボタン９２−１に割り当てられている機能に対して選択不可とされている機能が、他の機能とは異なる表示形式で表示されている。
【００７３】
すなわち、図６では、ショートカットボタン９２−１には、領域１２４−１に表示された文字“ビデオ１”により示される、入力として“ビデオ１”を選択する機能が割り当てられている。そして、機能一覧１２８に示される機能のうち、入力として“ビデオ１”を選択する機能と組み合わせて選択することができない機能を示す文字“ビデオ１”、“ビデオ２”、“ビデオ３”、“ビデオ４”、“ビデオ５”、“アナログ”、および“デジタル”のそれぞれが表示されている長方形に斜線が付されている。
【００７４】
図５のフローチャートの説明に戻り、ショートカット登録画面が表示されると、ステップＳ１４において表示装置１１は、ユーザによるリモートコントローラ４１の操作に応じてショートカットボタン９２への機能の追加または削除を行い、登録処理は終了する。
【００７５】
例えば、図６の例において、ユーザがショートカットボタン９２−１に消音機能を追加させるようにリモートコントローラ４１を操作すると、リモートコントローラ４１から表示装置１１には、ショートカットボタン９２−１に割り当てる機能として消音機能の追加を指示する制御信号が送信される。
【００７６】
受信部２２は、リモートコントローラ４１からの制御信号を受信して制御部２３に供給し、制御部２３は供給された制御信号に基づいて、ショートカットボタン９２−１に割り当てる機能として消音機能が追加されるように記憶している機能情報を更新する。そして、制御部２３は、更新した機能情報を記録部２４に供給して記録させる。
【００７７】
このようにして、表示装置１１はショートカット登録画面を表示し、ユーザの操作に応じてショートカットボタン９２に所定の機能を割り当てる。
【００７８】
このように、ショートカット登録画面を表示し、ショートカットボタン９２にユーザの所望する機能を割り当てることによって、ユーザは、どのショートカットボタン９２にどの機能が割り当てられているかを確認しながらショートカットボタン９２に所望する機能を割り当てたり、ショートカットボタン９２に割り当てる機能を変更したりすることができる。
【００７９】
次に、図７のフローチャートを参照して、表示装置１１がユーザの操作に応じてショートカットメニューを表示する処理である表示処理について説明する。この表示処理は、ユーザがリモートコントローラ４１の決定ボタン５９を操作し、リモートコントローラ４１から表示装置１１に決定ボタン５９が操作された旨の制御信号が送信されると開始される。
【００８０】
ステップＳ４１において、受信部２２は、リモートコントローラ４１から送信されてきた、決定ボタン５９が操作された旨の制御信号を受信して制御部２３に供給する。
【００８１】
ステップＳ４２において、制御部２３は表示部２７にメニュー画面が表示されているか否かを判定する。ステップＳ４２においてメニュー画面が表示されていると判定された場合、ステップＳ４３に進み、表示装置１１は操作に応じた処理を行い、表示処理は終了する。
【００８２】
表示部２７にメニュー画面が表示されている場合、表示装置１１はショートカットメニューを表示せずに、現在、表示部２７に表示されているメニュー画面に対して、受信した制御信号に基づく処理を行う。例えば、メニュー画面におけるメニュー項目として、ショートカット登録画面を表示するための項目が選択されている場合、制御部２３は、受信した制御信号に基づきメニュー項目の選択を決定し、オンスクリーン表示制御部２６は、表示部２７にショートカット登録画面を表示させる。
【００８３】
これに対して、ステップＳ４２においてメニュー画面が表示されていないと判定された場合、ステップＳ４４に進み、制御部２３は表示部２７にショートカットメニューが表示されているか否かを判定する。
【００８４】
ステップＳ４４において、ショートカットメニューが表示されていると判定された場合、ステップＳ４５に進み、オンスクリーン表示制御部２６は表示部２７を制御して、ショートカットメニューの表示を消去させ、表示処理は終了する。すなわち、表示部２７にショートカットメニューが表示されている状態で、ユーザがリモートコントローラ４１の決定ボタン５９を操作すると、表示されているショートカットメニューは、その表示が消去される。
【００８５】
一方、ステップＳ４４において、ショートカットメニューが表示されていないと判定された場合、ステップＳ４６に進み、制御部２３は、表示装置１１の現在の状態において、選択できないショートカットボタン９２があるか否かを判定する。
【００８６】
例えば、入力として“ビデオ４”が選択されており、ショートカットボタン９２−１に入力として“ビデオ４”を選択する機能が割り当てられている場合、入力として“ビデオ４”が選択されている状態において、入力として“ビデオ４”を選択する機能を実行する必要はないので、入力として“ビデオ４”を選択する機能は選択できない機能とされ、選択できないショートカットボタン９２があると判定される。
【００８７】
また、例えば、表示部２７に２つの番組の画面がそれぞれ表示されており、ショートカットボタン９２に表示する画像のアスペクト比を変化させる機能が割り当てられている場合、２つの番組の画面をそれぞれ表示している状態で画像のアスペクト比を変化させることはできないので、選択できないショートカットボタン９２があると判定される。
【００８８】
ステップＳ４６において選択できないショートカットボタン９２がないと判定された場合、ステップＳ４７の処理はスキップされてステップＳ４８に進む。
【００８９】
これに対してステップＳ４６において選択できないショートカットボタン９２があると判定された場合、ステップＳ４７に進み、オンスクリーン表示制御部２６は、選択できないショートカットボタン９２の描画の準備をする。
【００９０】
例えば、オンスクリーン表示制御部２６は、表示装置１１の現在の状態で選択することができないショートカットボタン９２が他のショートカットボタン９２と異なる表示形式で表示されるように描画の前処理を行う。
【００９１】
ステップＳ４７において、選択できないショートカットボタン９２の描画の準備がされるか、またはステップＳ４６において選択できないショートカットボタン９２がないと判定されると、ステップＳ４８において、オンスクリーン表示制御部２６は表示部２７を制御して、表示部２７にショートカットメニューを描画させて表示させ、表示処理は終了する。
【００９２】
これにより、表示部２７には、例えば図３に示したショートカットメニューが表示される。また、例えば、図８に示すショートカットメニューを表示部２７に表示するようにしてもよい。
【００９３】
図８に示すショートカットメニューは、割り当てられた機能を実行させるときに操作されるショートカットボタン１５１−１乃至ショートカットボタン１５１−４、およびショートカットメニューの表示を消去するときに操作されるキャンセルボタン１５２からなる。
【００９４】
また、ショートカットメニューには、選択されているショートカットボタン１５１−１乃至ショートカットボタン１５１−４、またはキャンセルボタン１５２を指示するカーソル１５３が表示されている。図８の例ではカーソル１５３によりキャンセルボタン１５２が選択されている。
【００９５】
ショートカットボタン１５１−１乃至ショートカットボタン１５１−４およびキャンセルボタン１５２のそれぞれは、リモートコントローラ４１において十字ボタン５８−１乃至十字ボタン５８−４および決定ボタン５９が配置されている位置関係と同じ位置関係で配置されて表示されている。すなわち、ショートカットボタン１５１−１乃至ショートカットボタン１５１−４およびキャンセルボタン１５２のそれぞれは、十字ボタン５８−１乃至十字ボタン５８−４および決定ボタン５９のそれぞれに対応する位置に表示される。
【００９６】
また、ショートカットボタン１５１−１乃至ショートカットボタン１５１−４のそれぞれには、ショートカットされて実行される機能を示す文字“ビデオ４”、“消音”、“ワイド切替”、および“省電力モード”のそれぞれが表示され、キャンセルボタン１５２には文字“キャンセル”が表示されている。
【００９７】
このショートカットメニューにおいては、ショートカットボタン１５１−１乃至ショートカットボタン１５１−４のそれぞれに対応する十字ボタン５８−１乃至十字ボタン５８−４のそれぞれが操作されると、カーソル１５３が選択されたショートカットボタンを指示するように移動され、ショートカットボタン１５１−１乃至ショートカットボタン１５１−４のそれぞれに割り当てられた機能が実行される。
【００９８】
したがって、例えばユーザがリモートコントローラ４１の十字ボタン５８−１を操作すると、カーソル１５３がショートカットボタン１５１−１を指示するように移動されてショートカットボタン１５１−１が選択され、ショートカットボタン１５１−１に割り当てられた文字“ビデオ４”により示される機能、すなわち入力として“ビデオ４”を選択する機能が実行される。なお、以下、ショートカットボタン１５１−１乃至ショートカットボタン１５１−４のそれぞれを個々に区別する必要のない場合、単にショートカットボタン１５１と称する。
【００９９】
また、ショートカットメニューが表示されている状態で、ユーザがリモートコントローラ４１の決定ボタン５９を操作すると、キャンセルボタン１５２が選択されてショートカットメニューの表示が消去される。このように、図８に示したショートカットメニューにおいては、ショートカットボタン１５１およびキャンセルボタン１５２が、それらのボタンを選択するときに操作される十字ボタン５８および決定ボタン５９と対応する位置に表示されているので、ユーザはリモートコントローラ４１のどのボタンを操作すれば、所望するショートカットボタンが選択されるかを容易に知ることができる。
【０１００】
さらに、ショートカットメニューにおいて、表示装置１１の現在の状態では選択できないショートカットボタン１５１がある場合、そのショートカットボタン１５１は、例えば図９に示すように、他のショートカットボタン１５１とは異なる表示形式で表示される。なお、図９において、図８における場合と対応する部分には同一の符号を付してあり、その説明は適宜省略する。
【０１０１】
図９に示すショートカットメニューにおいては、ショートカットボタン１５１−１に斜線が付されており、他のショートカットボタン１５１−２乃至ショートカットボタン１５１−４とは異なる表示形式で表示されている。この場合、ユーザがショートカットボタン１５１−１に対応する十字ボタン５８−１を操作してもカーソル１５３は移動されず、ショートカットボタン１５１−１が選択されないようになされている。
【０１０２】
なお、図９においては、ショートカットボタン１５１に機能が割り当てられるようになされているが、ボタンに限らずショートカットメニューを構成する文字、画像などにショートカットされて実行される機能が割り当てられるようにしてもよい。
【０１０３】
以上のようにして、表示装置１１は、リモートコントローラ４１に設けられたボタンに対応するショートカットボタン９２からなるショートカットメニューを表示する。
【０１０４】
このように、リモートコントローラ４１に設けられたボタンに対応するショートカットボタン９２からなるショートカットメニューを表示することで、ユーザはリモートコントローラ４１に設けられたどのボタンを操作すればどの機能が実行されるかを視覚的に確認しながら操作することができ、より簡単に所望する機能を実行させることができる。
【０１０５】
しかも、ショートカットボタン９２を選択するときに操作される数字ボタン５４は、ショートカットメニューが表示されていないときには、選局などをするときに操作される既存のボタンであるため、所望する機能を実行させるための新たなボタンをリモートコントローラ４１に設ける必要がない。したがって、リモートコントローラ４１に設けられるボタンの数を減らすことができ、リモートコントローラ４１の操作性を向上させることができる。
【０１０６】
従来の技術においては、リモートコントローラには割り当てようとする機能の数だけボタンを設けなければならないので、機能を割り当てるために設けられたボタンの数だけ制御信号としての光の発光パターンが必要であった。これに対して、表示装置１１では、所望する機能をショートカットして実行させるときに既存のボタンを操作するようにしたので、リモートコントローラ４１に新たにボタンを設ける必要がなく、したがって新たな制御信号の発光パターンを必要としない。
【０１０７】
表示装置１１にショートカットメニューが表示されている状態において、ユーザがリモートコントローラ４１を操作してショートカットボタン９２を選択して機能の実行を指示すると、リモートコントローラ４１から表示装置１１には、数字ボタン５４が選択された旨の制御信号、すなわちショートカットボタン９２の選択を指示する制御信号が送信される。
【０１０８】
表示装置１１は、リモートコントローラ４１から制御信号が送信されてくると、制御信号により選択が指示されたショートカットボタン９２に割り当てられた機能を実行する機能実行処理を開始する。以下、図１０のフローチャートを参照して、表示装置１１による機能実行処理について説明する。
【０１０９】
ステップＳ７１において、受信部２２は、リモートコントローラ４１から送信されてきた制御信号を受信して制御部２３に供給する。
【０１１０】
ステップＳ７２において、制御部２３は、受信部２２から供給された制御信号により選択が指示されたショートカットボタン９２に割り当てられた機能が、現在の表示装置１１の状態で実行可能な機能であるか否かを判定する。すなわち、制御部２３は、選択されたショートカットボタン９２が、図７のステップＳ４６の処理において、選択できないショートカットボタン９２とされたか否かを判定する。
【０１１１】
例えば、現在の表示装置１１の状態が、入力として“ビデオ４”が選択されている状態であり、入力として“ビデオ４”を選択する機能が割り当てられているショートカットボタン９２−１が選択された場合、制御部２３は実行可能な機能ではないと判定する。
【０１１２】
ステップＳ７２において、実行可能な機能であると判定された場合、制御部２３は記憶している機能情報を参照して、受信された制御信号により選択が指示されたショートカットボタン９２に割り当てられた機能の実行を処理実行部２５に指示し、処理はステップＳ７３に進む。
【０１１３】
ステップＳ７３において、処理実行部２５は制御部２３に指示された機能を実行する。例えば、図３に示したショートカットメニューが表示されている状態で、ユーザが数字ボタン５４−９を操作すると、リモートコントローラ４１から表示装置１１には、数字ボタン５４−９により選択されるショートカットボタン９２−９の選択を指示する制御信号が送信される。この制御信号が受信されると、制御部２３は、記憶している機能情報を参照して、操作された数字ボタン５４−９により選択されるショートカットボタン９２−９に割り当てられた、音声を消音する機能の実行を処理実行部２５に指示する。そして、処理実行部２５は、制御部２３の指示に基づいて再生している音声を消音する機能を実行する。
【０１１４】
なお、より詳細には、制御部２３は、ユーザにより指示された機能を実行するためのプログラムが記録されているアドレスを処理実行部２５に供給する。処理実行部２５は、制御部２３から供給されたアドレスに基づいて、制御部２３を介して記録部２４からプログラムを取得して実行することにより、指示された機能を実行する。
【０１１５】
また、ユーザにより選択されたショートカットボタン９２に複数の機能が割り当てられている場合、処理実行部２５は、選択されたショートカットボタン９２に割り当てられている複数の機能を順番に実行する。
【０１１６】
ユーザにより指示された機能が実行されると、ステップＳ７４において、オンスクリーン表示制御部２６は、表示部２７に表示されているショートカットメニューの表示を消去させて、機能実行処理は終了する。
【０１１７】
また、ステップＳ７２において、実行可能な機能でないと判定された場合、ステップＳ７５に進み、オンスクリーン表示制御部２６は、選択された機能を実行できない旨のメッセージを表示部２７に表示させて、機能実行処理は終了する。
【０１１８】
この場合、ショートカットボタン９２に割り当てられた機能は実行されないので、ショートカットメニューの表示は消去されない。したがって、ユーザがリモートコントローラ４１を操作して新たにショートカットボタン９２を選択し、機能の実行を指示すると、リモートコントローラ４１から表示装置１１に制御信号が送信されて機能実行処理が新たに開始される。
【０１１９】
また、図９に示したショートカットメニューが表示されている状態で、ステップＳ７２において実行可能な機能ではないと判定された場合、すなわちユーザによりショートカットボタン１５１−１が選択された場合、ステップＳ７５において、オンスクリーン表示制御部２６がメッセージを表示させず、カーソル１５３が移動されないようにし、機能実行処理が終了されるようにしてもよい。
【０１２０】
このようにして、表示装置１１は、リモートコントローラ４１が操作されてショートカットボタン９２が選択されると、選択されたショートカットボタン９２に割り当てられた機能を実行する。
【０１２１】
このように、選択されたショートカットボタン９２に割り当てられた機能を実行することによって、ユーザは、ショートカットボタン９２に所望する機能を割り当てておき、所望する機能を実行させるためのショートカットボタン９２を選択するという簡単な操作だけで、所望する機能を実行させることができる。
【０１２２】
以上のように、リモートコントローラに設けられたボタンの操作により選択できるショートカットボタンからなるショートカットメニューを表示するようにしたので、より簡単に所望する機能を実行させることができる。
【０１２３】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１２４】
図１１は、上述した一連の処理をプログラムにより実行するパーソナルコンピュータの構成の例を示すブロック図である。パーソナルコンピュータ３０１のCPU（Central Processing Unit）３１１は、ROM（Read Only Memory）３１２、または記録部３１８に記録されているプログラムに従って各種の処理を実行する。RAM３１３には、CPU３１１が実行するプログラムやデータなどが適宜記憶される。これらのCPU３１１、ROM３１２、およびRAM３１３は、バス３１４により相互に接続されている。
【０１２５】
CPU３１１にはまた、バス３１４を介して入出力インターフェース３１５が接続されている。入出力インターフェース３１５には、キーボード、マウス、マイクロホンなどよりなる入力部３１６、ディスプレイ、スピーカなどよりなる出力部３１７が接続されている。CPU３１１は、入力部３１６から入力される指令に対応して各種の処理を実行する。そして、CPU３１１は、処理の結果を出力部３１７に出力する。
【０１２６】
入出力インターフェース３１５に接続されている記録部３１８は、例えばハードディスクからなり、CPU３１１が実行するプログラムや各種のデータを記録する。通信部３１９は、インターネットやローカルエリアネットワークなどのネットワークを介して外部の装置と通信する。
【０１２７】
また、通信部３１９を介してプログラムを取得し、記録部３１８に記録してもよい。
【０１２８】
入出力インターフェース３１５に接続されているドライブ３２０は、磁気ディスク、光ディスク、光磁気ディスク、或いは半導体メモリなどのリムーバブルメディア３３１が装着されたとき、それらを駆動し、そこに記録されているプログラムやデータなどを取得する。取得されたプログラムやデータは、必要に応じて記録部３１８に転送され、記録される。
【０１２９】
コンピュータにインストールされ、コンピュータによって実行可能な状態とされるプログラムを格納するプログラム記録媒体は、図１１に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア３３１、または、プログラムが一時的もしくは永続的に格納されるROM３１２や、記録部３１８を構成するハードディスクなどにより構成される。プログラム記録媒体へのプログラムの格納は、必要に応じてルータ、モデムなどのインターフェースである通信部３１９を介して、ローカルエリアネットワーク、インターネット、デジタル衛星放送といった、有線または無線の通信媒体を利用して行われる。
【０１３０】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１３１】
なお、本発明の実施の形態は、上述した実施の形態に限定されるものではなく、本発明の要旨を逸脱しない範囲において種々の変更が可能である。
【図面の簡単な説明】
【０１３２】
【図１】表示装置の構成例を示すブロック図である。
【図２】リモートコントローラの構成例を示す図である。
【図３】ショートカットメニューの表示例を示す図である。
【図４】ショートカット登録画面の表示例を示す図である。
【図５】登録処理を説明するフローチャートである。
【図６】ショートカット登録画面の表示例を示す図である。
【図７】表示処理を説明するフローチャートである。
【図８】ショートカットメニューの表示例を示す図である。
【図９】ショートカットメニューの表示例を示す図である。
【図１０】機能実行処理を説明するフローチャートである。
【図１１】パーソナルコンピュータの構成例を示すブロック図である。
【符号の説明】
【０１３３】
１１  表示装置，  ２２  受信部，  ２３  制御部，  ２４  記録部，  ２６  オンスクリーン表示制御部，  ２７  表示部，  ４１  リモートコントローラ，  ９２−１乃至９２−９，９２  ショートカットボタン
【図１】
2007300543.tif 000003
【図２】
2007300543.tif 000004
【図３】
2007300543.tif 000005
【図４】
2007300543.tif 000006
【図５】
2007300543.tif 000007
【図６】
2007300543.tif 000008
【図７】
2007300543.tif 000009
【図８】
2007300543.tif 000010
【図９】
2007300543.tif 000011
【図１０】
2007300543.tif 000012
【図１１】
2007300543.tif 000013